(57)【要約】      （修正有）【課題】使用時に大きな力を必要とせず、静かで、バスケットの位置決め機能と落下防止の安全性を備え、レールの使用寿命を延長することができる、収納バスケットのレールの提供。 【解決手段】レール、複数のローラーセット、前部及び中段部にそれぞれ設けたストッパー部材から構成され、そのうち、該レールは軌道槽を備え、その先端部は矢印型の開放構造を呈し、該軌道槽内部に沿って該複数個のローラーセットを設け、さらに該レールの前部と中段部にそれぞれ該ストッパー部材を設置する。【選択図】図１
0003114278.tif 000002
【実用新案登録請求の範囲】
【請求項１】
フレーム体内側の両側にそれぞれレールを設け、対称且つ平衡にバスケットの上部辺縁部をレールに掛け渡して設置し、バスケットを滑動させるためのレールであって、主に、レール、複数のローラーセット、前部及び中段部にそれぞれ設けたストッパー部材から構成され、そのうち、該レールは軌道槽を備え、その先端部は矢印型の開放構造を呈し該軌道槽内部に沿って該複数個のローラーセットを設けさらに該レールの前部と中段部にそれぞれ該ストッパー部材が設置されそのうち、該ローラーセットは、軌道槽の面上にそれぞれ設置され特に該軌道槽前部上方の面上に１つ設け各ローラーセットはすべて同じ構造であり半円釘軸とローラーから構成され該軌道槽内壁に中空軸を延伸して設け、ローラーを該中空軸外側に被せて設置し、さらに半円釘軸を該中空軸の中空槽内に挿入した状態は、該半円釘軸の軸面が該中空軸前方に設けた凹み槽内に嵌置され、該半円釘軸と軌道槽の側面が平坦な状態となり、且つ、ローラーが軌道槽の面より若干高い状態となって支持力の提供と回転動作を行うことができ、該ストッパー部材は、レールの前方と中段位置に設置され、且つ、この２つの位置にそれぞれ挿入槽を設け、該ストッパー部材は、垂直ヘッドと、該垂直ヘッド内に嵌置されたマグネットを備え、さらに後方に延伸してフック部を設け、該フック部は間隔を開けて設置された鉤突起を備え、該鉤突起を備えた部分と備えていない部分の間に隙間空間が形成され、該ストッパー部材は、該挿入槽底部内側に設けた位置決め突起により一定位置で回動が規制され、さらに、該レールの挿入槽上部内側に制限槽を設け、該ストッパー部材に設けた制限突起に対応し、該ストッパー部材が単一方向での回動ができる構成とすることを特徴とする収納バスケットのレール。
【請求項２】
前記レール前部と中段部に設けたストッパー部材のうち、前部のストッパー部材は右方向の制限槽を備え、中段部のストッパー部材は左方向の制限槽を備えることを特徴とする、収納バスケットのレール。
【考案の詳細な説明】
【技術分野】
【０００１】
本考案は収納バスケットのレール構造に関し、詳細には、大きな力を必要とせず、静かで、位置決め機能と安全性を備え、レールの使用寿命を大幅に延長することができ、最後まで実用的に使用するという目的を達することができ、従来品に比べより理想的に使用できる、収納バスケットのレールの構造に関する。
【背景技術】
【０００２】
従来のバスケットはよく台所の流し台下やクローゼット、工具台下等に設置され、雑貨整理に利用されることが多いため、このようなバスケットは使いやすく実用的という２つの条件下において使用頻度は非常に高く、特に、その装備は非常に簡易であるため、消費者に広く受け容れられている。図８に示すように、従来の収納バスケットA１の全体構造をみると、掛け渡し式のレールA２１または軌道槽を備えたフレームA２を利用し、バスケットA１上部に設けた辺縁部A１１を両側に平らに掛け渡して用いられ、バスケットA１は宙にぶら下がった状態となる。
【０００３】
上述のような従来のバスケットA１専用のフレームA２またはレールA２１は、特別な構造性が存在せず、その機能上、バスケットA１の上部辺縁部A１１の保持とレールA２、A２１上での滑動ができればよいとされてきた。このため、従来のバスケットA１のレールA２、A２１はこれまで構造的な進化がなく、長い間多くの実用性に欠ける問題が放置されてきた。これら問題点は以下のように整理できる。
【０００４】
１、レールと軌道槽の面の磨耗が早く、バスケットを滑らせるときの高周波騒音が大きい。
２、バスケット内に物品を多く収納するとその重さでバスケットの引き出しと収納に大きな力が必要となり、また、レールと軌道槽の面の磨耗がさらにひどくなってしまう。
３、バスケット内に収納した物品が刃物や工具類などの危険性の高い物品である場合、バスケット全体を引き出してしまうと物品が落ちて散らばり、使用上安全性の問題がある。
【考案の開示】
【考案が解決しようとする課題】
【０００５】
本考案の目的は、使用時に大きな力を必要とせず、静かで、バスケットの位置決め機能と落下防止の安全性を備え、レールの使用寿命を大幅に延長することができ、最後まで実用的に使用することができる、収納バスケットのレールを提供することにある。    
【課題を解決するための手段】
【０００６】
本考案の収納バスケットのレールは、フレーム体内側の両側にそれぞれレールを設け、対称且つ平衡にバスケットの上部辺縁部をレールに掛け渡して設置し、バスケットを滑動させるためのレールであって、主に、レール、複数のローラーセット、前部及び中段部にそれぞれ設けたストッパー部材から構成され、そのうち、該レールは軌道槽を備え、その先端部は矢印型の開放構造を呈し、該軌道槽内部に沿って該複数個のローラーセットを設け、さらに該レールの前部と中段部にそれぞれ該ストッパー部材が設置され、そのうち、該ローラーセットは、軌道槽の面上にそれぞれ設置され、特に該軌道槽前部上方の面上に１つ設け、各ローラーセットはすべて同じ構造であり、半円釘軸とローラーから構成され、該軌道槽内壁に中空軸を延伸して設け、ローラーを該中空軸外側に被せて設置し、さらに半円釘軸を該中空軸の中空槽内に挿入すると、該半円釘軸の軸面が該中空軸前方に設けた凹み槽内に嵌置され、該半円釘軸と軌道槽の側面が平坦な状態となり、且つ、ローラーが軌道槽の面より若干高い状態となって支持力の提供と回転動作を行うことができ、該ストッパー部材は、レールの前方と中段位置に設置され、且つ、この２つの位置にそれぞれ挿入槽を設け、該ストッパー部材は、垂直ヘッドと、該垂直ヘッド内に嵌置されたマグネットを備え、さらに後方に延伸してフック部を設け、該フック部は間隔を開けて設置された鉤突起を備え、該鉤突起を備えた部分と備えていない部分の間に隙間空間が形成され、該ストッパー部材は、該挿入槽底部内側に設けた位置決め突起により一定位置で回動が規制され、さらに、該レールの挿入槽上部内側に制限槽を設け、該ストッパー部材に設けた制限突起に対応し、該ストッパー部材が単一方向での回動ができるのみとすることを特徴とする。
【考案の効果】
【０００７】
本考案の設計によれば、従来品の各種欠点と問題を解決することができ、同時に、レールの使用範囲を効果的に広げ、上部辺縁部を備えたあらゆるバスケット、収納引き出し、収納ケース等に組み合わせることができる。
【０００８】
本考案の設計は、レールに３つの特徴があり、これら３つの特徴が本考案の訴求を構成する。  第一に、矢印型の開放型レール先端部の設計により、収納バスケットの上部辺縁部をこの端部構造により導入し、迅速且つ性格に軌道槽内に進入させ、引き動かしたり滑動させたりすることができる。
【０００９】
第二に、本考案特有の簡易型ローラーにより、支持と回転運動の２つの有利な条件を得て、収納バスケットを滑らせるとき、軌道槽の磨耗と摩擦による騒音を効果的に減少することができる。
【００１０】
第三に、本考案特有の回転ストッパー部材により、収納バスケットを外側または内側に向かって滑らせるとき、理想的な支持と位置決め機能が得られ、収納バスケットが全部滑り出てしまい、落下するのを完全に防ぐことができ、使用上の安全を確保できる。
【００１１】
上述の周到な設計に基づき、本考案は力を必要とせず、静かで、位置決め機能と安全性を備え、レールの使用寿命を大幅に延長することができ、最後まで実用的に使用するという目的を達することができる。
【考案を実施するための最良の形態】
【００１２】
図１に示すように、本考案の全体構造は、レール１、複数のローラーセット２及び前部と中段部にそれぞれ設けたストッパー部材３により単一のレール構造を形成するものである。その構成するレール１の配置方法は、図８に示すように、従来品と同様にフレーム体内側の両側にそれぞれレール１を設け、対称且つ平衡にバスケット４の上部辺縁部４１を軌道槽１１内に掛け渡して設置する。
【００１３】
図１に示すように、本考案の訴求する構造体は、レール１の先端部を矢印型の開放構造とし、この構造形態を利用して迅速にバスケットの上部辺縁部４１を導入し、正確に軌道槽１１内に進入させることができる。次に、軌道槽１１内部に沿って、複数個のローラーセット２を設け、支持作用と回転動作を形成し、最後に、レール１の前部と中段部にそれぞれ設けたストッパー部材３により、図６及び図７に示すようにバスケット４を外側方向または内側方向へ滑らせるとき、支持作用と位置決め機能が得られる。
【００１４】
前述のローラーセット２は、前段部上方の軌道槽１１面に１つ設け、バスケット４を軌道槽１１に進入させる際、若干距離進入させると、このローラーセット２により支持され、バスケット４が徐々に水平方向に導引されて自然且つ円滑、迅速、正確に軌道槽１１内に滑入させることができる。各ローラーセット２の分布は、前述の前段部の軌道槽１１上方のほか、軌道槽１１の底面にも分布させる。各ローラーセット２はすべて同じ構造であり、半円釘軸２１とローラー２２から成り、図２及び図１の部分拡大図に示すように、ローラーセット２は軌道槽１１内壁に中空軸１１１を延伸して設け、ローラー２２に設けた中央孔２２１をこの中空軸１１１の外部に被せて設置した後、さらに半円釘軸２１を中空軸１１１の中空槽１１２内に挿入し、中空軸１１１の軸性応力を強化すると共に、半円釘軸２１の軸面２１１がちょうど中空軸１１１前方に設けた凹み槽１１３内に嵌置され、半円釘軸２１と軌道槽１１の側面が平坦な状態となり、また中空軸１１１に被せたローラー２２が軌道槽１１１の面より若干高い状態となり、支持の提供と回転動作を行うことができる。
【００１５】
図１、図３、図４、図５に示すように、ストッパー部材３は、レール１の前方と中段位置に設置し、且つ、この２つの位置上にそれぞれ挿入槽１２を設け、ストッパー部材３を挿入し回転可能に設置する。図３から分かるように、ストッパー部材３は、垂直ヘッド３１を備え、且つ、後方に延伸してフック部３２を設け、前述のレールの挿入槽１２の先端奥に引掛ける。このフック部３２の設計は、間隔を開けて鉤突起３２１を設けた設計とし、鉤突起３２１を備えた部分と備えていない部分の間に隙間空間が形成され、ストッパー部材３が回動するとき、挿入槽１２底部内側に設けた位置決め突起１２１が一定位置で回動を位置決めする。図４に示すように、さらにレールの挿入槽１２は、上部内側に制限槽１２２を備え、この制限槽１２２は左側と右側に分けて設けられ、ストッパー部材３に設けた制限突起３３に対応し、ストッパー部材３の制限突起３３がこの制限槽１２２内に制限されるため、約９０℃の角度で回転できるのみとなる。こうして、ストッパー部材３は単一方向での回動ができるのみとなり、前後にバスケット４の上部辺縁部４１を支持する作用が形成される。
【００１６】
図６、図７に示すように、バスケット４が収納状態にあるとき、バスケット４の前方向の上部辺縁部４１が右方向の制限槽１２２を備えたストッパー部材３により支持され、さらに、ストッパー部材３の垂直ヘッド３１内槽に嵌置したマグネット３４により吸着されて位置決めされる。反対に、バスケット４を引き出すときは、バスケット４後方の上部辺縁部４１左方向の制限槽１２２を備えたストッパー部材３により支持され、ストッパー部材３の垂直ヘッド３１内槽に嵌置したマグネット３４により吸着されて位置決めされる。このように、２つの方向が異なるストッパー部材３を利用し、効果的にバスケット４を引き出したり、元の位置に位置決めすることができる。
【００１７】
このほか、最初に設置するときまたはバスケット４を全部引き出すときは、前述の２つの方向が異なるストッパー部材３を回転させて水平な状態にするとストッパー作用が解除される。反対に、設置完了後またはバスケットにストッパー作用を実施するときは、同様に２つの異なる方向のストッパー部材を回転させて垂直な状態にすると、ストッパー作用が発揮される。
【図面の簡単な説明】
【００１８】
【図１】本考案のレールの立体分解図及び部分拡大図である。
【図２】本考案のローラーセットの断面図である。
【図３】本考案のストッパー部材のフック部を引掛けた状態を示す断面図である。
【図４】本考案のレールの左向きの制限槽を備えた挿入槽を示す正面図である。
【図５】本考案のレールの右向きの制限槽を備えた挿入槽を示す正面図である。
【図６】本考案のバスケットの収納動作を示す側面図である。
【図７】本考案のバスケットの引き出し動作を示す側面図である。
【図８】従来のバスケットの２種類のレール構造を示す平面図である。
【符号の説明】
【００１９】
１        レール
１１      軌道槽
１１１    中空軸
１１２    中空槽
１１３    凹み槽
１２      挿入槽
１２１    位置決め突起
１２２    制限槽
２        ローラーセット
２１      半円釘軸
２１１    半円釘軸面
２２      ローラー
２２１    中央孔
３        ストッパー部材
３１      垂直ヘッド
３２      フック部
３２１    鉤突起
３３      制限突起
３４      マグネット
４        バスケット
４１      上部辺縁部
【図１】
0003114278.tif 000003
【図２】
0003114278.tif 000004
【図３】
0003114278.tif 000005
【図４】
0003114278.tif 000006
【図５】
0003114278.tif 000007
【図６】
0003114278.tif 000008
【図７】
0003114278.tif 000009
【図８】
0003114278.tif 000010
【手続補正書】
【提出日】平成17年7月4日(2005.7.4)
【手続補正１】
【補正対象書類名】実用新案登録請求の範囲
【補正対象項目名】全文
【補正方法】変更
【補正の内容】
【実用新案登録請求の範囲】
【請求項１】
フレーム体内側の両側にそれぞれレールを設け、対称且つ平衡にバスケットの上部辺縁部をレールに掛け渡して設置し、バスケットを滑動させるためのレールであって、主に、レール、複数のローラーセット、前部及び中段部にそれぞれ設けたストッパー部材から構成され、そのうち、該レールは長手方向に形成された軌道槽を備え、その軌道槽の先端部は矢印型の開放構造から成り、該軌道槽内部に沿って該複数個のローラーセットを設けさらに該レールの前部と中段部にそれぞれ該ストッパー部材が設置されそのうち、該ローラーセットは、軌道槽の面上にそれぞれ設置され特に該軌道槽前部上方の面上に１つ設け各ローラーセットはすべて同じ構造であり半円釘軸とローラーから構成され該軌道槽内壁に中空軸を延伸して設け、ローラーを該中空軸外側に被せて設置し、さらに半円釘軸を該中空軸の中空槽内に挿入した状態は、該半円釘軸の軸面が該中空軸前方に設けた凹み槽内に嵌置され、該半円釘軸と軌道槽の側面が平坦な状態となり、且つ、ローラーが軌道槽の面より若干高い状態となって支持力の提供と回転動作を行うことができる構成とし、該ストッパー部材は、レールの前方と中段位置に設置され、且つ、この２つの位置にそれぞれ挿入槽を設け、該ストッパー部材は、垂直ヘッドと、該垂直ヘッド内に嵌置されたマグネットを備え、さらに後方に延伸してフック部を設け、該フック部は間隔を開けて設置された鉤突起を備え、該鉤突起を備えた部分と備えていない部分の間に隙間空間が形成され、該ストッパー部材は、該挿入槽底部内側に設けた位置決め突起により一定位置で回動が規制され、さらに、該レールの挿入槽上部内側に制限槽を設け、該ストッパー部材に設けた制限突起に対応し、該ストッパー部材が単一方向での回動ができる構成とすることを特徴とする収納バスケットのレール。
【請求項２】
前記レール前部と中段部に設けたストッパー部材のうち、前部のストッパー部材は右方向の制限槽を備え、中段部のストッパー部材は左方向の制限槽を備えることを特徴とする請求項１に記載した収納バスケットのレール。